(57)【要約】【課題】スクリーンの畳み込み操作時にボトムレールからのスクリーンのずり落ちを防止し得るプリーツスクリーンを提供する。【解決手段】スクリーン１１の前後幅の中央部からずれた位置で昇降コード１４をスクリーン１１に挿通し、スクリーン１１の前後幅より狭い前後幅のボトムレール１２を昇降コード１４で吊下支持し、ボトムレール１２上にスクリーン１１を積層した状態で該スクリーンを上方へ畳み込み可能としたプリーツスクリーンにおいて、ボトムレール１２には、該ボトムレール上に積層されるスクリーン１１を隣り合う昇降コード１４間で該ボトムレール１２上に保持する保持手段１６を備えた。【選択図】図１
2008274653.tif 000002
【特許請求の範囲】
【請求項１】
スクリーンの前後幅の中央からずれた位置で昇降コードをスクリーンに挿通し、スクリーンの前後幅より狭い前後幅のボトムレールを前記昇降コードに吊下支持し、前記ボトムレール上に前記スクリーンを積層した状態で該スクリーンを上方へ畳み込み可能としたプリーツスクリーンにおいて、
前記ボトムレールには、該ボトムレール上に積層されるスクリーンを隣り合う昇降コード間で該ボトムレール上に保持する保持手段を備えたことを特徴とするプリーツスクリーン。
【請求項２】
前記保持手段として、前記ボトムレールの上端から前方に向かって延びる支持辺を形成したことを特徴とする請求項１記載のプリーツスクリーン。
【請求項３】
前記保持手段として、前記ボトムレールの上端から前方に向かって延びる支持辺を形成し、該支持辺を下方に傾けたことを特徴とする請求項１記載のプリーツスクリーン。
【請求項４】
前記保持手段として、前記ボトムレールの上端から斜め下方に延びる支持辺を設け、該支持辺に前記スクリーンを接着剤で接着したことを特徴とする請求項１記載のプリーツスクリーン。
【請求項５】
前記保持手段として、前記ボトムレールの上面に前記スクリーンを接着剤で接着したことを特徴とする請求項１記載のプリーツスクリーン。
【請求項６】
前記保持手段として、前記ボトムレールの上面に前記スクリーンを止めピンで固定したことを特徴とする請求項１記載のプリーツスクリーン。
【請求項７】
前記スクリーンの背面側に向かって凸となる折り目に接合片を設け、前記ボトムレールの上面で前記接合片を押し上げてスクリーンを畳み込み可能とし、前記ボトムレールの上面で最初に押し上げられる接合片を、ボトムレールの下限位置で該ボトムレールから離間させることを特徴とする請求項２記載のプリーツスクリーン。
【請求項８】
前記ボトムレールの長手方向両端部において、前記支持辺を切除したことを特徴とする請求項２記載のプリーツスクリーン。
【発明の詳細な説明】
【技術分野】
【０００１】
この発明は、スクリーンをボトムレールで押し上げて上方に畳み込むプリーツスクリーンに関するものである。
【背景技術】
【０００２】
プリーツスクリーンは、上下方向にジクザグ状に折り曲げ可能としたスクリーンをヘッドボックスから吊下支持し、そのスクリーンを操作装置により昇降して採光量を適宜に調節するものである。
【０００３】
このようなプリーツスクリーンの一種類として、図９及び図１０に示すように、スクリーン１の折り目部分に接合片２を設け、その接合片２に昇降コード３を挿通し、その昇降コード３の下端にボトムレール４を吊下支持したものがある。そして、昇降コード３を介してボトムレール４を昇降することにより、スクリーン１を下方へ引き延ばし、あるいはスクリーン１を上方へ畳み込み可能となっている。
【０００４】
このようなプリーツスクリーンでは、スクリーン１を上方へ畳み込むとき、昇降コード３によりボトムレール４が引き上げられ、そのボトムレール４上にスクリーン１が順次積層されて畳み込まれる。
【０００５】
また、図９及び図１０に示すように、ボトムレール４が縦長である場合には、スクリーン１の後部がボトムレール４の上端面で押し上げられて上方へ畳み込まれる。
【特許文献１】特許第２６０６９４４号公報
【特許文献２】米国特許第４９７４６５６号
【発明の開示】
【発明が解決しようとする課題】
【０００６】
図９及び図１０に示すプリーツスクリーンでは、スクリーン１を畳み込むとき、スクリーン１の後端部がボトムレール４の上面で押し上げられる。すると、接合片２に昇降コード３が挿通されている位置では、スクリーン１の後端部がボトムレール４上に保持されるが、昇降コード３の挿通位置から離れた位置では、スクリーン１の生地の剛性が低い場合あるいはボトムレール４が前後に揺れたりする場合に、スクリーン１がボトムレール４の上面から前方にずり落ちてしまうことがある。従って、図９及び図１０に示すように、昇降コード３間でボトムレール４上に積層されるスクリーン１が前方にずり落ちて、美観を損ねるという問題点がある。
【０００７】
特許文献１に記載された構成では、ボトムレールの前後幅は積層されたスクリーンの前後幅に相当する幅が確保されているので、スクリーンのずり落ちを防止する構成は開示されていない。
【０００８】
また、特許文献２にはスクリーンの前後幅より狭い前後幅のボトムレールでスクリーンを押し上げる構成が開示されているが（Fig3A参照）、スクリーンのずり落ちを防止する構成は開示されていない。
【０００９】
この発明の目的は、スクリーンの畳み込み操作時にボトムレールからのスクリーンのずり落ちを防止し得るプリーツスクリーンを提供することにある。
【課題を解決するための手段】
【００１０】
請求項１では、スクリーンの前後幅の中央部からずれた位置で昇降コードをスクリーンに挿通し、スクリーンの前後幅より狭い前後幅のボトムレールを前記昇降コードに吊下支持し、前記ボトムレール上に前記スクリーンを積層した状態で該スクリーンを上方へ畳み込み可能としたプリーツスクリーンにおいて、前記ボトムレールには、該ボトムレール上に積層されるスクリーンを隣り合う昇降コード間で該ボトムレール上に保持する保持手段を備えた。
【００１１】
請求項２では、前記保持手段として、前記ボトムレールの上端から前方に向かって延びる支持辺を形成した。
請求項３では、前記保持手段として、前記ボトムレールの上端から前方に向かって延びる支持辺を形成し、該支持辺を下方に傾けた。
【００１２】
請求項４では、前記保持手段として、前記ボトムレールの上端から斜め下方に延びる支持辺を設け、該支持辺に前記スクリーンを接着剤で接着した。
請求項５では、前記保持手段として、前記ボトムレールの上面に前記スクリーンを接着剤で接着した。
【００１３】
請求項６では、前記保持手段として、前記ボトムレールの上面に前記スクリーンを止めピンで固定した。
請求項７では、前記スクリーンの背面側に向かって凸となる折り目に接合片を設け、前記ボトムレールの上面で前記接合片を押し上げてスクリーンを畳み込み可能とし、前記ボトムレールの上面で最初に押し上げられる接合片を、ボトムレールの下限位置で該ボトムレールから離間させる。
【００１４】
請求項８では、前記ボトムレールの長手方向両端部において、前記支持辺を切除した。
【発明の効果】
【００１５】
本発明によれば、スクリーンの畳み込み操作時にボトムレールからのスクリーンのずり落ちを防止し得るプリーツスクリーンを提供することができる。
【発明を実施するための最良の形態】
【００１６】
以下、この発明を具体化した一実施の形態を図面に従って説明する。図１に示すスクリーン１１は図示しないヘッドボックスから吊下支持され、そのスクリーン１１の下端にボトムレール１２が取着されている。
【００１７】
前記スクリーン１１は、上下方向に多数の折り目を設けてジグザグ状に畳み込み可能とした生地の１段おきの折り目に接合片１３が形成されている。前記接合片１３は、スクリーン１１の背面側に向かって凸となる折り目を所定の幅で接合して形成される。その接合方法は、生地の幅方向に非連続となる超音波溶着を施したり、縫着あるいは接着剤による接着でも可能である。また、前記接合片１３に代えて、生地とは別体のリング部材や孔を備えた接合テープを使用することもできる。
【００１８】
前記スクリーン１１の各接合片１３に昇降コード１４が挿通され、その昇降コード１４はスクリーン１１の左右幅方向において等間隔に複数本挿通されている。
前記昇降コード１４の上端部は、ヘッドボックス内に設けられる昇降コード巻取り装置（図示しない）に支持され、操作装置を操作することにより、昇降コード巻取り装置で昇降コード１４を巻取り、あるいは巻戻し可能となっている。
【００１９】
前記昇降コード１４の下端は、前記ボトムレール１２に取着されている。そして、前記昇降コード巻取り装置で昇降コード１４を巻き取ると、ボトムレール１２が引き上げられて、スクリーン１１が上方へ畳み込まれ、昇降コード巻取り装置から昇降コード１４を巻戻すと、ボトムレール１２が下降してスクリーン１１が下方へ引き伸ばされるようになっている。
【００２０】
前記昇降コード１４の近傍において、前記ヘッドボックスからピッチ保持コード１５が垂下され、そのピッチ保持コード１５の下端は前記ボトムレール１２に取着されている。そして、ピッチ保持コード１５は、スクリーン１１が引き伸ばされたとき、スクリーン１１の一段おきの接合片１３を高さ方向に保持して、スクリーン１１の折り目間隔が一定となるように保持する。
【００２１】
前記ボトムレール１２は押出し形材で形成され、そのボトムレール１２の上端には前方に向かって水平方向に延びる支持辺１６が同ボトムレール１２の全長に亘って形成されている。そして、スクリーン１１の下端部は支持辺１６及びボトムレール１２の前面を覆うように下方に案内されて、生地押さえ２４ａでボトムレール１２に保持されている。
【００２２】
前記ボトムレール１２内には、縦長の板状の錘Ｗが収容されている。この錘Ｗは、昇降コード１４による吊下位置より後方に保持されている。従って、ボトムレール１２の重心は、昇降コード１４による吊下位置よりやや後方に位置している。
【００２３】
このように構成されたプリーツスクリーンでは、ボトムレール１２を引き上げてスクリーン１１を畳み込むと、スクリーン１１が支持辺１６上に積層される。従って、ボトムレール１２上に積層されるスクリーン１１を、支持辺１６上に保持して、前方へのずり落ちを防止することができる。
【００２４】
図２は、ボトムレールの別例を示す。このボトムレール１７の上端には、前方に向かって延びる支持辺１８を設け、その支持辺１８を僅かに下方へ傾けた構成としている。その他の構成は、図１に示す構成と同様である。
【００２５】
このように構成されたボトムレール１７の動作を図３に示す。ボトムレール１７を下限まで下降させると、図３（ａ）に示すように、スクリーン１１の下端に生地押さえ２４ａを前方へ引き寄せる力Ｆ１が生じ、ボトムレール１７の下端が若干前方へせり出す。
【００２６】
このとき、支持辺１８はその先端が上方へ回動され、引き延ばされたスクリーン１１の下部には干渉しない。すなわち、支持辺１８の長さは、この状態で支持辺１８の先端がスクリーン１１に干渉しない長さに設定されている。
【００２７】
また、昇降コード１４が挿通されている最下段の接合片１３が、ボトムレール１７の上面から離間するため、最下段の折り目３１まで引き延ばされスクリーン１１として利用可能となる。
【００２８】
ボトムレール１７を引き上げてスクリーン１１を畳み込むと、図３（ｂ）に示すように、支持辺１８上にスクリーン１１が積層され、そのスクリーン１１の荷重によりボトムレール１７はほぼ垂直方向に吊下支持される状態となる。
【００２９】
図３（ｃ）に示すように、ボトムレール１７をヘッドボックス３２近傍まで引き上げると、スクリーン１１には畳み込みに反発する力Ｆ２が発生する。しかし、支持辺１８が傾斜しているので、ボトムレール１７はその背面が後方にせり出すことなくヘッドボックス３２やスクリーン１１の後端とほぼ連なる状態で吊下支持される。従って、前後方向の畳み込み寸法が大きくなることはない。
【００３０】
また、図３（ｂ）に示す状態から同図（ｃ）に至る過程では、ボトムレール１７の重心は昇降コード取付け位置の下方からやや後方に位置するので、支持辺１８は積層されたスクリーン１１の重量に抗してほぼ水平方向に維持され、支持辺１８からのスクリーン１１のずり落ちが防止される。
【００３１】
このような構成により、図１に示すボトムレール１２と同様に、スクリーン１１のずり落ちを防止することができる。
図４は、ボトムレールの更なる別例を示す。このボトムレール１９には上端から前方に向かって斜め下方に延びる支持辺２０と、下端から上方に向かって斜め上方に延びる支持辺２１が形成されている。
【００３２】
スクリーン１１の下端部は、接合片１３から支持辺２０に沿って前方斜め下方に案内され、最下段の折り目２２の下方で支持辺２１に沿って後方斜め下方に案内されている。そして、最下段の接合片１３が接着剤２３でボトムレール１９の上面に固定され、その接合片１３から下方に連なるスクリーン１１と支持辺２０とが接着剤２３で固定され、スクリーン１１の下端に取着された生地押さえ２４ｂがボトムレール１９の係止溝２５に保持されている。
【００３３】
このような構成により、スクリーン１１の下端部が接着剤２３でボトムレール１９の上面及び支持辺２０に固定されているので、スクリーン１１を畳み込んだとき、そのずり落ちを防止することができる。
【００３４】
図５は、ボトムレールの更なる別例を示す。このボトムレール２６の上面には、スクリーン１１の接合片１３が接着剤２７で固定されている。なお、接着剤２７でボトムレール２６に固定された接合片１３より下方の生地は、その下端が生地押さえ２４ａでボトムレール２６の前面に保持されて、ボトムレール２６の前面を覆っている。
【００３５】
このような構成により、スクリーン１１の下端部が接着剤２７でボトムレール２６の上面に固定されているので、スクリーン１１を畳み込んだとき、そのずり落ちを防止することができる。
【００３６】
図６は、ボトムレールの更なる別例を示す。このボトムレール２８の上面には、昇降コード１４及びピッチ保持コード１５を挿通するために開口された開口溝が形成され、その開口溝に対しスクリーン１１の接合片１３を貫通する止めピン３０を係合させたものである。すなわち、昇降コード１４間で接合片１３を止めピン３０により複数箇所でボトムレール２８に固定する。
【００３７】
このような構成により、スクリーン１１の下端部が止めピン３０でボトムレール２８の上面に固定されているので、スクリーン１１を畳み込んだとき、そのずり落ちを防止することができる。
【００３８】
図７及び図８は、図２に示すボトムレール１７の変形例を示す。図７に示すように、ボトムレール１７はその長手方向の両端部において支持辺１８が切除されている。また、ボトムレール１７の端部に取着されるキャップ３３には、支持辺１８を切除した切断面を覆う保護片３４が形成されている。
【００３９】
このような構成により、ボトムレール１７端部での支持辺１８の露出を防止して、安全性及び美観を向上させることができる。また、支持辺１８を切断した切断面を保護片３４で覆うことができるので、安全性を向上させることができる。
【００４０】
同様な構成を、図１及び図３に示すボトムレール１２，１９の支持辺１６，２０に実施することもできる。
上記実施の形態は、以下の態様で実施してもよい。
・図１及び図２に示す支持辺１６，１８は、ボトムレールの全長に亘って形成しなくてもよい。すなわち、昇降コード１４間で等間隔で複数箇所に設けてもよい。
【図面の簡単な説明】
【００４１】
【図１】一実施の形態のスクリーン保持装置を示す側面図である。
【図２】スクリーン保持装置の別例を示す側面図である。
【図３】（ａ）〜（ｃ）はスクリーン保持装置の動作を示す側面図である。
【図４】スクリーン保持装置の別例を示す側面図である。
【図５】スクリーン保持装置の別例を示す側面図である。
【図６】スクリーン保持装置の別例を示す側面図である。
【図７】スクリーン保持装置の別例を示す分解斜視図である。
【図８】スクリーン保持装置の別例を示す分解斜視図である。
【図９】従来例を示す正面図である。
【図１０】従来例を示す側面図である。
【符号の説明】
【００４２】
１１…スクリーン、１２，１７，１９，２６，２８，３１，３５，３９…ボトムレール、４…スクリーン、１４…昇降コード、１６，１８，２０，２１…保持手段（支持辺）、２３，２７，３８…保持部材（接着剤）、２５，３２…保持手段（係止溝）、２４ａ，２４ｂ…保持手段（生地押さえ）。
【図１】
2008274653.tif 000003
【図２】
2008274653.tif 000004
【図３】
2008274653.tif 000005
【図４】
2008274653.tif 000006
【図５】
2008274653.tif 000007
【図６】
2008274653.tif 000008
【図７】
2008274653.tif 000009
【図８】
2008274653.tif 000010
【図９】
2008274653.tif 000011
【図１０】
2008274653.tif 000012